(57)【要約】【課題】ベットと車椅子との間において要介護者がベットから車椅子へ乗り換える場合、又要介護者が車椅子からベットへ乗り換える場合に介護者による要介護者の介助が容易にできない点を可能とする。【解決手段】本考案は、車椅子座布団２の裏面に丈が長く幅広い丈夫な布地１を当てて布地１の中央に前記車椅子座布団２を設け、その座布団の背当て部４上端の左右両側に背負い紐５を設け、座布団の座面部３の左右両側に背負い紐通し布輪６を設け、要介護者は幅広い布地で包まれて防寒をすることができる座布団であって、要介護者を背負い紐で背負って移動することが出来ると共に二名の介護者は丈が長く広幅の布地の上に要介護者を載せて包みハンモックにして移動をさせることも可能である。【選択図】図１
0003135567.tif 000002
【実用新案登録請求の範囲】
【請求項１】
要介護者の身体を覆うに足る丈が長くて広幅の丈夫な布地と、前記布地のほぼ中央に設けた座面部と背当て部が一体型の座布団と、前記座布団の背当て部の左右上部に背負い紐を設けて座面部の左右両側に背負い紐通し布輪を設けたことを特徴とする要介護者用車椅子座布団。
【請求項２】
請求項１に記載の座布団の背当て部の左右上部に設けてある背負い紐は、座面部の左右両側に設ける背負い紐通し布輪に通して結ぶことができる十分な余裕のある長さを有し、前記背当て部左右に設けた背負い紐はその背当て部の裏面と布地の間に通して左右連続している一体型の背負い紐であることを特徴とする要介護者用車椅子座布団。
【請求項３】
請求項１又は２に記載の背負い紐通し布輪は座面部の裏面と布地の間に通して左右連続している一体型の背負い紐通し布輪であることを特徴としている要介護者用車椅子座布団。
【請求項４】
請求項１に記載の要介護者用車椅子座布団の布地は防寒用として厚手の布地であって、その布地でもって車椅子上の要介護者の身体を覆い、又は要介護者を前記布地の上に載せて身体を包み込み移動もできる丈夫な布地であることを特徴とする要介護者用車椅子座布団。
【考案の詳細な説明】
【技術分野】
【０００１】
本考案は、ベットと車椅子との間において要介護者がベットから車椅子へ乗り換えを補助される場合、又要介護者が車椅子からベットへ乗り換えを補助される場合に、介護者は要介護者を補助するために使用すると乗り換えが容易な車椅子用座布団に関するものである。
【背景技術】
【０００２】
車椅子座布団は、通常の座布団を車椅子の座面に敷く程度のものが実用的に使用されている。
実用の座布団は、車椅子の座面の広さ程度の小型であるなど、比較的小寸法の正方形乃至矩形をしているものである。
車椅子の背当て部に敷く座布団も略同様の形をしているものが使用されている。座面に敷く座布団と背当て部に敷くものが合体しているものなどが実用に供されている。
要介護者は車椅子に乗って移動をされる場合には、要介護者は車椅子の上に座って毛布をかけてもらうことにより冷たい風を防止することが行われている。又毛布をかけてもらうだけでも冷たい風を防ぐには実用上十分であった。
【０００３】
しかし、要介護者は介助をしてもらって、ベットと車椅子との間を行き来できるだけであるから自分ひとりで乗り換えることは難しく、そのために介護者は単独で車椅子に要介護者を乗り降りさせる際には重労働になる。なぜなら介護者は一人で要介護者を運んでベットと車椅子の間で努力される場合も多々あり、その介助は困難を伴って介護者には危険と苦労をかける。
要介護者が車椅子に乗り降りされるために、介護者は従来の座布団では介助の役にたたなかった。
介護者が要介護者を補助して車椅子に乗り降りさせるために、介助が容易になるものであって、車椅子上では防風にもなる車椅子用座布団が望まれている。
【０００４】
車椅子に乗り降りする要介護者を介助する用途において、従来の座布団の欠点はクッション性だけであったので要介護者のために防寒用の風除けや、要介護者を補助して移動させるために座布団を使用する利便性に関しては実用的でないことが大きな障害であるとの問題があった。
【０００５】
この改善策として、特許文献１のように防寒用となる耳付き座布団とか、特許文献２のような入浴、移動の利便性を良くするために、車椅子に患者を乗せたとき、倒れたりづれ落ちたりしないように固定できる保護紐で、移動のために紐の位置を替えることにより背負い紐となる介護用具がある。介護者が要介護者を、例えば、毛布やシーツに包んで移動させるようにするとか、背負い紐を使って移動させるようにする方法がある。
【特許文献１】実用新案登録第３１０３２８４号公報
【特許文献２】実用新案公開平７−３９８２２号公報
【考案の開示】
【考案が解決しようとする課題】
【０００６】
解決しようとする問題点は、ベットと車椅子との間において要介護者がベットから車椅子へ乗り換える場合、又要介護者が車椅子からベットへ乗り換える場合に介護者による要介護者のための介助が容易にできない点である。
【課題を解決するための手段】
【０００７】
本考案は、車椅子座布団の裏面に丈が長く幅広い丈夫な布地を当てて布地の中央に前記車椅子座布団を設け、その座布団の背当て部上端の左右両側に背負い紐を設け、座布団の座面部の左右両側に背負い紐通し布輪を設け、要介護者は幅広い布地で包まれて防寒をすることができる座布団であって、要介護者を背負って移動することが出来るものであると共に二名の介護者は丈が長く広幅の布地で要介護者を包んでハンモックにして要介護者を移動させることも可能とするため、防寒布として、又移動用として身体を包み込むことが可能である布地の中央に座布団を設け、その背当て部両側に設けた背負い紐と座面部の両側に背負い紐を通す布輪を設けたもので、布地で身体を包んで防寒と移動をすると共に背負い紐で背負って移動をすることを最も主要な特徴とする。
【考案の効果】
【０００８】
本考案の要介護者用車椅子座布団は、布地の中央に設けた座布団の布地で要介護者を包み、座布団に設けた背負い紐で背負って布輪に通して座布団で移動するため、布地を丈が長く広幅にしてあって、要介護者の身体を包み込むことができるので、季節によっては気温の状況に応じてに防寒用として、布地を使って移動用のハンモック機能や背負い紐を使って背負い具としても使い分けられるという利点がある。
【考案を実施するための最良の形態】
【０００９】
車椅子の利用が可能な要介護者のために、車椅子に座面部と背当て部のある座布団を置いて使用し、移動時にはハンモック機能と背負い紐の機能を兼ね備えて介助できる座布団を実現した。
【実施例１】
【００１０】
図１〜５は、本考案要介護者用車椅子座布団の１実施例を示す説明図であって、１は布地、２は座布団、３は座面部、４は背当て部、５は背負い紐、６は背負い紐通し布輪である。
【００１１】
実施例１は、要介護者の身体を覆うに足る丈が長くて広幅の丈夫な布地１と、前記布地のほぼ中央に設けた座面部３と背当て部４が一体型の座布団２と、前記座布団２の背当て部の左右上部に背負い紐５を設けて座面部の左右両側に背負い紐通し布輪６を設けた要介護者用車椅子座布団である。  
【００１２】
図３にて要介護者を車椅子座布団の背負い紐で背負っている時の使用状態を説明したように前記座布団の背当て部４の左右上部に設けてある背負い紐５を座面部３の左右両側に設けてある背負い紐通し布輪６に通して前で紐を結び、前記背当て部左右に設けた背負い紐５はその背当て部の裏面と布地の間に通して左右連続している一体型の背負い紐であることが丈夫で望ましい。夏季には暑いので広幅の布地１に紐を付けて畳み込むようにしても良いし、寒い冬季には背負い紐で背負われた要介護者を背後から包み防寒用とすることもできる。
【００１３】
前００１２項に記載の背負い紐通し布輪６は、座面部３の裏面と布地１の間に通して左右連続している一体型の背負い紐通し布輪であることが丈夫で望ましい。
【００１４】
図４にて要介護者を車椅子に乗せている時の使用状態を説明したように、要介護者用車椅子座布団の布地１は防寒用として厚手の布地であって、その布地でもって車椅子上の要介護者の身体を覆い外出時の寒さから守ることができる。
【００１５】
図５にて車椅子座布団を設けた広幅の布地１に要介護者を乗せている時の使用状態を説明したように、上記の布地１は要介護者を前記布地の上に載せて身体を包み込みハンモックにして移動もできる丈夫な布地である。
【００１６】
このような車椅子座布団にしたので、要介護者のために、介護者が一人でも、複数であっても利用できる。従って、介護者には背負い紐として、防寒用の覆いとして、或いはハンモックとして要介護者の介助行動が容易になる。さらに、要介護者の移動の範囲を広くする効果がある。
【００１７】
この実施例は、座布団を取り付けた幅広の布地を身体に巻きつけることによって包み、要介護者が介護者に伴われて外出時の防寒にもなるものであり、例えば車椅子で外出する場合、布地は季節によっては冬には防寒用の厚手の布地であることが好ましい。複数の介護者は季節に関係なくハンモックとして、要介護者をベットから車椅子へ、そして車椅子からベットへ移動する場合に使用することもできる。そのために布地１は、丈夫な布地であることが望ましい。この車椅子用座布団は複数の介護者が多くの要介護者を補助する施設の介護生活の中でも使用ができるので利便性向上と介護対象の拡大におおいに役立つものである。
又一人で年老いた親の介護をする場合にもハンモックの使用に代えて背負い紐で要介護者を背負うこともできるようにした。
【産業上の利用可能性】
【００１８】
座布団を取り付けた布地によって要介護者を乗せるハンモックとして使用することも、座布団に取付けた背負い紐と輪布を用いて容易に要介護者の背負い具としても使用することも可能であるから、要介護者を介護する者が一人であっても、二人であっても、介護者が要介護者を車椅子で移動させる必要がある場合は、自宅、養老院、病院にても適用できる。
【図面の簡単な説明】
【００１９】
【図１】要介護者用車椅子座布団の実施方法を示した平面図である。（実施例１）
【図２】要介護者用車椅子座布団の実施方法を示した側面図である。（実施例１）
【図３】要介護者用車椅子座布団の使用方法を示した側面図である。（実施例１）
【図４】要介護者用車椅子座布団の使用方法を示した正面図である。（実施例１）
【図５】要介護者用車椅子座布団の使用方法を示した側面図である。（実施例１）
【符号の説明】
【００２０】
１    布地
２    座布団
３    座面部
４    背当て部
５    背負い紐
６    背負い紐通し布輪
【図１】
0003135567.tif 000003
【図２】
0003135567.tif 000004
【図３】
0003135567.tif 000005
【図４】
0003135567.tif 000006
【図５】
0003135567.tif 000007